(57)【要約】 【課題】  最小侵襲骨接合術において、骨折部に筋からの血液の供給を阻害しない形状の非平板型骨プレートを提供する。【解決手段】  この非平板型骨プレートは、第一固定板１１、第一連結部１２、支持板１３、第二連結部１４及び第二固定板１５の順に長手方向に配列し、一体化されてなる。第一固定板１１及び第二固定板１５は、各々、ネジ貫通孔１６を持ち、骨に当接する曲面１１ａ及び１５ａを持つ。支持板１３は筋に当接する曲面を持つ。第一連結部１２は第一固定板１１と支持板１３とを繋ぎ、第二連結部１４は支持板１３と第二固定板１５とを繋ぐ。支持板１３の筋に当接する曲面は、第一連結部１２と第二連結部１４によって、第一固定板１１及び第二固定板１５の骨に当接する曲面よりも上方に位置せしめられている。【選択図】  図２
2011139865.tif 000002
【特許請求の範囲】
【請求項１】
第一固定板、第一連結部、支持板、第二連結部及び第二固定板の順に長手方向に配列し一体化されてなる非平板型骨プレートであって、
前記第一固定板及び前記第二固定板は、ネジ貫通孔を持つ共に骨に当接する曲面を持ち、
前記支持板は筋に当接する曲面を持ち、
前記第一連結部は前記第一固定板と前記支持板とを繋ぎ、前記第二連結部は前記支持板と前記第二固定板とを繋ぎ、
前記支持板の筋に当接する曲面は、前記第一連結部と前記第二連結部によって、前記第一固定板及び前記第二固定板の骨に当接する曲面よりも上方に位置せしめられていることを特徴とする非平板型骨プレート。
【請求項２】
第一連結部及び第二連結部の幅は、第一固定板、支持板及び第二固定板の幅よりも狭い請求項１記載の非平板型骨プレート。
【請求項３】
第一固定板及び第二固定板の骨に当接する曲面が、同一面に存在する請求項１又は２記載の非平板型骨プレート。
【請求項４】
第一連結部及び第二連結部は、円弧状である請求項１乃至３のいずれか一項に記載の非平板型骨プレート。
【請求項５】
金属製である請求項１乃至４のいずれか一項に記載の非平板型骨プレート。
【請求項６】
請求項１乃至５のいずれか一項に記載の非平板型骨プレートと、第一固定板及び第二固定板のネジ貫通孔に貫通するネジとよりなる非平板型骨プレートキット。
【発明の詳細な説明】
【技術分野】
【０００１】
本発明は、犬や猫等の動物の骨折部の骨接合術に用いる非平板型骨プレートに関し、特に、動物の四肢を構成している長管骨の骨折部を非開創で骨接合を図るために用いる非平板型骨プレートに関するものである。
【背景技術】
【０００２】
従来より、動物の骨折部の骨接合術としては、創外固定法や骨プレートを用いる方法が知られている。創外固定法に用いる創外固定器は、体外に創外固定器が設けられるため、動きにくいといった欠点や、創外固定器に偶発的に外力が負荷され、骨折部外の骨を損傷させるといった欠点があった。
【０００３】
このため、骨折部の骨接合術に骨プレートを用いることが多くなっている。骨プレートは、チタン合金等の各種合金よりなるネジ貫通孔を持つ平板型骨プレートであり、この平板型骨プレートを骨折部に当接し、ネジ貫通孔を通して骨にネジを螺着して用いるものである。したがって、平板型骨プレートは筋と骨（骨折部の骨）との間に存在し、創外固定器のように体外に存在しないため、創外固定法の欠点を回避することができる。このため、骨折部の骨接合術に骨プレートが多用され、骨プレートに関して種々の工夫が提案されている（特許文献１）。
【０００４】
【特許文献１】特表２００９−５３００５２号公報
【発明の開示】
【発明が解決しようとする課題】
【０００５】
しかしながら、平板型骨プレートを骨折部の骨に沿って当接するには、骨折部全体を開創しなければならず、骨折部の筋全体を侵襲してしまうという欠点があった。このため、骨折部全体を開創するのではなく、骨折部の両側（近位側と遠位側）の筋のみを侵襲し、その部位から平板型骨プレートを滑り込ませ、近位側と遠位側のみでネジを螺着する最小侵襲骨接合術が提案されている。
【０００６】
最小侵襲骨接合術は、筋の侵襲が少なく好ましいものである。しかしながら、最小侵襲骨接合術においても、用いる骨プレートは平板型骨プレートであるため、以下のような欠点を回避することができない。すなわち、平板型骨プレート１は、図１に示すように骨折部の骨に沿って設けられるため、骨２と筋３との間に平板型骨プレート１が存在し、筋３からの血液が骨２の表面の骨芽細胞からなる骨膜４に供給されず、骨芽細胞が壊死してしまうという欠点があった。つまり、骨芽細胞は筋３からの血液により産生し増殖してゆくのであり、この骨芽細胞が壊死すると、平板型骨プレート１の存在側では骨芽細胞の発達による仮骨５が産生せず、平板型骨プレート１の非存在側でのみ仮骨２が産生することになる。したがって、骨折部の癒合が弱くなり、骨折部の治癒が遅れるという欠点があった。
【０００７】
そこで、本発明の課題は、最小侵襲骨接合術において、骨折部に筋からの血液の供給を阻害しない形状の骨プレートを提供することにある。
【課題を解決するための手段】
【０００８】
本発明は、従来の平板型骨プレートを、特異な形状の非平板型とすることにより、上記課題を解決したものである。すなわち、本発明は、第一固定板、第一連結部、支持板、第二連結部及び第二固定板の順に長手方向に配列し一体化されてなる非平板型骨プレートであって、前記第一固定板及び前記第二固定板は、ネジ貫通孔を持つ共に骨に当接する曲面を持ち、前記支持板は筋に当接する曲面を持ち、前記第一連結部は前記第一固定板と前記支持板とを繋ぎ、前記第二連結部は前記支持板と前記第二固定板とを繋ぎ、前記支持板の筋に当接する曲面は、前記第一連結部と前記第二連結部によって、前記第一固定板及び前記第二固定板の骨に当接する曲面よりも上方に位置せしめられていることを特徴とする非平板型骨プレートに関するものである。
【０００９】
本発明に係る非平板型骨プレートは、第一固定板１１、第一連結部１２、支持板１３、第二連結部１４及び第二固定板１５の順に長手方向に配列しており、一体的に形成されているものである。第一固定板１１等の各部は、一般的に金属製であり、たとえばチタン合金やコバルトクロム合金が採用される。
【００１０】
第一固定板１１及び第二固定板１５は、骨折部を跨いで、骨の近位及び遠位に沿って、骨の表面に当接されるものである。したがって、第一固定板１１及び第二固定板１５は、骨に当接する曲面１１ａ及び１５ａを持っている。動物の四肢の骨は長管骨と呼称されるものであり、略円柱形状となっているため、骨表面に当接する曲面１１ａ及び１５ａも曲面は、一般的には凹曲面となっている。なお、長管骨は複雑な表面形状をしていないため、曲面１１ａ及び１５ａは、同一面に存在しているのが好ましい。また、第一固定板１１及び第二固定板１５は骨折部外の骨表面に当接されるが、短期間であれば、筋からの血液が骨芽細胞に供給されなくても、骨折部の治癒には差し支えない。
【００１１】
第一固定板１１及び第二固定板１５は、骨折部を跨いで、骨の近位及び遠位にネジによって固定されるものであるため、ネジ貫通孔１６を持っている。ネジ貫通孔１６は、各固定板１１及び１５に、一個乃至数個設けられている。このネジ貫通孔１６にネジを貫通させて、ネジを骨に螺着することにより、第一固定板１１及び第二固定板１５は骨に沿って固定される。
【００１２】
支持板１３は、第一固定板１１と第二固定板１５の間に存在し、骨折部を支持するためのものである。この支持板１３は、骨折部を支持するが、骨に沿って当接されるものではない。支持板１３は、骨折部に対応する筋表面に当接する。したがって、支持板１３は、筋に当接する曲面１３ａを持っている。筋も長管骨等の骨と同様に、略円柱状となっているため、筋表面に当接する面１３ａも、一般的には凹曲面となっている。
【００１３】
第一固定板１１と支持板１３とは、第一連結部１２で繋がれている。また、第二固定板１５と支持板１３とは、第二連結部１４で繋がれている。第一連結部１２及び第二連結部１４は、支持板１３を第一固定板１１及び第二固定板１５の上方に押し上げており、この結果、支持板１３の筋に当接する曲面１３ａは、第一固定板１１及び第二固定板１５の骨に当接する曲面１１ａ及び１５ａよりも上方に位置せしめられている。第一連結部１２及び第二連結部１４は円弧状となって、支持板１３を上方への押し上げるのが好ましい。
【００１４】
第一連結部１２及び第二連結部１４の幅は、第一固定板１１、支持板１３及び第二固定板１５の幅よりも狭くなっているのが好ましい。この理由は、骨折部近傍位の開創を小さくしうるからである。
【００１５】
本発明に係る非平板型骨プレートを用いて、最小侵襲骨接合術を施す方法の一つを説明する。まず、骨折部の近位２１及び遠位２２を開創する。そして、近位２１に第一固定板１１を滑り込ませと共に、遠位２２に第二固定板１５を滑り込ませて、骨２の表面に第一固定板１１及び第二固定板１５を当接する。支持板１３は、皮膚６のみを開いて、筋３表面に当接する。この際、第一連結部１２及び第二連結部１４の進入箇所のみを開創する。そして、第一固定板１１及び第二固定板１５のネジ貫通孔１６にネジ１７を貫通し、骨２に螺着して固定すれば、施術は終了し、図３に示した状態となる。したがって、開創部位は、骨折部の近位２１、遠位２２及び第一連結部１２及び第二連結部１４のみであり、最小侵襲によって施術を行うことができる。
【００１６】
本発明に係る非平板型骨プレートは、単体で製品として提供されてもよいし、施術で用いるネジと共にキットとして提供されてもよい。
【発明の効果】
【００１７】
本発明に係る非平板型骨プレートを用いれば、最小侵襲によって施術を行うことが可能になると共に、以下のような作用により、骨折部の早期治癒が可能となる。すなわち、骨折部の周囲には、骨プレートが当接していないため、骨折部の骨芽細胞に筋からの血液が十分に供給され、骨芽細胞が壊死することなく、産生及び増殖する。この結果、骨折部の周囲全体において、仮骨が産生し骨折部の癒合が強くなって、骨折部が早期に治癒するという効果を奏する。
【図面の簡単な説明】
【００１８】
【図１】従来の平板型骨プレートを用いて施術した後の状態を示した模式的断面図である。
【図２】本発明の一例に係る非平板型骨プレートの斜視図である。
【図３】図２に示した非平板型骨プレートを用いて施術した後の状態を示した模式的断面図である。
【符号の説明】
【００１９】
１      従来の平板型骨プレート
２      骨
３      筋
４      骨膜
５      仮骨
６      皮膚
１１    第一固定板
１１ａ  骨に当接する第一固定板の曲面
１２    第一連結部
１３    支持板
１３ａ  筋に当接する支持板の曲面
１４    第二連結部
１５    第二固定板
１５ａ  骨に当接する第二固定板の曲面
１６    ネジ貫通孔
１７    ネジ
２１    骨折部の近位
２２    骨折部の遠位
【図１】
2011139865.tif 000003
【図２】
2011139865.tif 000004
【図３】
2011139865.tif 000005